(57)【特許請求の範囲】
【請求項１】
テーブル板（１）の裏面に設けられた枠体（２）の四隅部に、脚（３）の付け根部を回動自在に装着し、また該装着した脚（３）の相対する二本の脚の脚先部に、連結棒（５）を回動自在に装着して架設し、さらに該連結棒（５）に、連結軸（１０）を介して折畳み自在に連結した２節リンクの第１のリンクアーム（７）の一端を固着すると共に、第２のリンクアーム（８）の一端を前記テーブル板（１）の裏面に取付け固定されたブラケット（９）に回動自在に軸支し、かつ第１のリンクアーム（７）の他端と第２のリンクアーム（８）の他端は前記連結軸（１０）に軸支して、両リンクアーム（７）（８）を斜方向一直線状に設け、テーブルを裏返しにするとリンクアームの自重によるモーメントの作用でリンクアームが折畳まれる方向に力が作用して脚が自然に折畳まれるように構成してなることを特徴とする脚折畳みテーブル。
【請求項２】
脚（３）の付け根部と、連結棒（５）の装着部とに、ボールベアリング（４）（６）を介在させて、回動自在に装着してなることを特徴とする請求項１記載の脚折畳みテーブル。
【請求項３】
第１のリンクアーム（７）又は第２のリンクアーム（８）にストッパー部（８ａ）を設け、テーブルの脚（３）を下方にして立てた時、第１のリンクアーム（７）と第２のリンクアーム（８）の連結部が、リンクアームの自重によるモーメントが作用して、斜方向一直線より僅かに下方に下がり、ストッパー部でストップされて保持され、脚がぐらついたり、折畳まれることなく、安定して脚を立てることができるように構成してなることを特徴とする請求項１又は２に記載の脚折畳みテーブル。
【発明の詳細な説明】
【０００１】
本発明は、外力を加えることなく、自然にテーブルの脚を立てたり、折畳みできるようにした脚折畳みテーブルに関するものである。
【０００２】
【従来の技術】
脚折畳みテーブルは、不使用時は脚を折畳んでコンパクトにした状態で積み重ねることができ、場所をとらず収納できる便利さから、広く利用されている。そして、従来より、脚折畳みテーブルにおいては、人手により脚を立ててテーブルを並べたり、或いは脚を折畳んで収納する作業が一般的になされてきている。
【０００３】
【発明が解決しようとする課題】
しかしながら、上記従来のやり方では、多数のテーブルの脚を立てて並べたり、或いは脚を折畳んで収納するのに多くの労力を要し、短時間に行えないこと、及び、脚の付け根部が錆ついたりして固くなるなどの不具合が生じ、脚を立てたり折畳んだりするのに大きな力を要するほか、折畳み部が摩耗して故障の原因となるなどの課題がある。
【０００４】
【課題を解決するための手段】
本発明は、上記課題に鑑みてなされたもので、脚折畳みテーブルにおける、脚を立てたり折畳んだりするのに、人手により外力を加えることなく、テーブルを立てて脚を下にすることにより自然に脚が立って保持され、テーブルを裏返して脚を上方にすることにより自然に脚が折畳めるようにして、脚立てや折畳みに要する労力の軽減と時間の短縮が図れる脚折畳みテーブルを提供しようとするものである。すなわち、その解決手段は以下に示すとおりである。
【０００５】
（１）  テーブル板（１）の裏面に設けられた枠体（２）の四隅部に、脚（３）の付け根部を回動自在に装着し、また該装着した脚（３）の相対する二本の脚の脚先部に、連結棒（５）を回動自在に装着して架設し、さらに該連結棒（５）に、連結軸（１０）を介して折畳み自在に連結した２節リンクの第１のリンクアーム（７）の一端を固着すると共に、第２のリンクアーム（８）の一端を前記テーブル板（１）の裏面に取付け固定されたブラケット（９）に回動自在に軸支し、かつ第１のリンクアーム（７）の他端と第２のリンクアーム（８）の他端は前記連結軸（１０）に軸支して、両リンクアーム（７）（８）を斜方向一直線状に設け、テーブルを裏返しにするとリンクアームの自重によるモーメントの作用でリンクアームが折畳まれる方向に力が作用して脚が自然に折畳まれるように構成してなることを特徴とする脚折畳みテーブルであって、テーブルに装着された脚を、人手により外力を加えることなく、自然に立たせたり、折畳みできるようにしたものである。
【０００６】
（２）  脚（３）の付け根部と、連結棒（５）の装着部とに、ボールベアリング（４）（６）を介在させて、回動自在に装着してなることを特徴とする前項（１）記載の脚折畳みテーブルであって、ころがり軸受の介在により、脚の付け根部と、連結棒の装着部の回動摩擦を少なくし、脚の回動を軽くして、脚の自重によるモーメントの作用で、脚に外力を加えることなく容易に脚を立たせたり、折畳みできるようにしたものである。
【０００７】
（３）  第１のリンクアーム（７）又は第２のリンクアーム（８）にストッパー部（８ａ）を設け、テーブルの脚（３）を下方にして立てた時、第１のリンクアーム（７）と第２のリンクアーム（８）の連結部が、リンクアームの自重によるモーメントが作用して、斜方向一直線より僅かに下方に下がり、ストッパー部でストップされて保持され、脚がぐらついたり、折畳まれることなく、安定して脚を立てることができるように構成してなることを特徴とする前記（１）又は（２）のいずれかに記載の脚折畳みテーブルである。
【０００８】
【発明の実施の形態】
本発明の実施の形態を実施例を示す図面に基づいて説明すると、本発明は図１に示すように、テーブル板１の裏面に設けられた枠体２の四隅部に、脚３，３，３，３の付け根部を回動自在に装着し、また該装着した脚３，３，３，３の相対する二本の脚３．３の脚先部に、連結棒５．５を回動自在に装着して架設し、さらに該連結棒５，５に、連結軸１０を介して折畳み自在に連結した２節リンクの第１のリンクアーム７，７の一端を固着すると共に、第２のリンクアーム８，８の別端部を前記テーブル板１の裏面に取付け固定されたブラケット９，９に回動自在に軸支し、かつ第１のリンクアーム７，７の他端と第２のリンクアーム８，８の他端は前記連結軸１０，１０に軸支して、脚３，３，３，３が折畳み自在に構成されている。
図１は説明の便宜上、テーブルを裏返しにして、脚３，３，３，３は立てられた状態で図示してあるが、実際は、テーブルを裏返しにすると、前記脚３，３，３，３は折畳まれた状態となる。
【０００９】
テーブル板１の裏面には枠体２が取付け固定されており、該枠体２の四隅に軸受穴を設け、該軸受穴に、図２に示すように、例えばボールベアリング４，４のような回転摩擦の小さい軸受を嵌着して、ボールベアリング４，４の内輪穴に、脚３，３の付け根部に溶接付けするなどして固着された軸１１，１１を嵌入させて、脚３，３を回動自在に装着する。
【００１０】
そして、前記脚３，３の脚先部の相対する位置にボス１２，１２を凸設し、該ボス１２，１２に軸受穴を設けて、例えばボールベアリング６，６のような回転摩擦の小さい軸受を嵌着し、該ボールベアリング６，６の内輪穴に連結棒５の両端部を嵌入させて連結し、前記連結棒５を回動自在に装着する。
【００１１】
また、脚３，３，３，３の脚先には、ゴム又は軟質性樹脂等のキャップ１３，１３，１３，１３を被せるなどして、脚を立てる時、床面の保護や床面との衝撃の緩和と、脚を折畳む時、テーブル板１の裏面との衝撃の緩和が図れるようにする。
【００１２】
以上のように連結した連結棒５，５には、第１のリンクアーム７，７の一端を溶接するなどして固着し、該リンクアーム７，７と、テーブル板１の裏面に取付け固定されたブラケット９，９に片端部を軸支して回動できるようにした第２のリンクアーム８，８との先端部を軸１０，１０により折畳みできるように連結する。前記軸１０，１０は、例えば一端を第２のリンクアーム８，８に溶接するなどして固着し、第１のリンクアーム７，７とは隙間をもたせて嵌合させ、ナット１４，１４を二重掛けにして締め付けて、固くならないように、且つ緩まないようにして、折畳み自在に連結する。
【００１３】
また、前記第１のリンクアーム７，７と、第２のリンクアーム８，８の軸１０，１０による連結を、図３及び図４において説明すると、第２のリンクアーム８にストッパー部８ａを設け（又は第１のリンクアーム７にストッパー部を設けても良い）、該ストッパー部と第１のリンクアーム７とに僅かな隙間（図４における隙間Ｓは１ｍｍ程度）を設けて、図３に示すように脚３を下方にして立てた時、第１のリンクアーム７と第２のリンクアーム８の軸１０による連結部が、リンクアームの自重によるモーメントが作用して、斜方向一直線より僅かに下方（イ方向）に下がり、ストッパー部８ａでストップされて保持されるようにし、脚がぐらついたり、折畳まれることなく、安定して脚を立てることができるようにする。
【００１４】
前記脚立てした状態から脚を折畳む時は、図４に示すように、テーブルを裏返しして脚先を上に向けると、第１のリンクアーム７と第２のリンクアーム８の軸１０による連結部が、リンクアームの自重によるモーメントの作用でロ方向に下がって折畳まれ、同時に脚３は矢印ハの方向に引き寄せられ、脚３が矢印ハの方向に引き寄せられるに従って、脚３の自重によるモーメントの作用も加わってスムーズに折畳まれ、図５に示すように完全に折畳まれた状態となる。
【００１５】
脚が折畳まれた図５の状態において、相対する二つの脚３，３とを連結している連結棒５と、テーブル板１の裏面に取付け固定されたブラケット９とが干渉しないように、ブラケット９をリンクアーム側へ離して取付け固定し、第１のリンクアーム７と前記ブラケット９との干渉部は、第１のリンクアーム７を一部変形させるなどして逃し部７ａを設け、連結棒５へ固着する。
【００１６】
【発明の効果】
上記のとおり構成された本発明によると、以下に記載するような効果を得ることができる。
【００１７】
テーブルを立てたり、裏返したりすることにより、自然に脚を立てたり、折畳みできるため、多くのテーブルの脚を立てて並べたり、或いは並べられた多くのテーブルの脚を折畳んで収納するのに、労力を要することなく、短時間に行うことができる。
【００１８】
また、脚の付け根部と、脚先部への連結棒の装着部とにボールベアリングなどの回転摩擦の小さい軸受を介在させて装着したことにより、脚の付け根部や脚先部の連結部が固くなることなく軽く回動し、脚やリンクアームの自重によるモーメントの作用で、脚に外力を加えることなく、容易且つスムーズに脚を立てたり、折畳みができる。
【００１９】
さらに、人手による無理な外力がかからないため、故障する要因が少なく、耐久性の向上が図れる。
【図面の簡単な説明】
【図１】本発明に係る脚折畳みテーブルの実施例を示す斜視図である。
【図２】図１におけるＡ−Ａ要部断面図である。
【図３】脚を下方にした脚とリンクアームの構成を示す要部断面図である。
【図４】脚を上方にした脚とリンクアームの構成を示す要部断面図である。
【図５】脚が折畳まれた状態を示す要部斜視図である。
【符号の説明】
１ テーブル板
２ 枠体
３ 脚
４，６ ボールベアリング
５ 連結棒
７  第１のリンクアーム
８  第２のリンクアーム
７ａ 逃し部
８ａ ストッパー部
９ ブラケット
１０，１１ 軸
１２ ボス
１３ キャップ
１４ ナット
【図１】
0003841568.tif 000002
【図２】
0003841568.tif 000003
【図３】
0003841568.tif 000004
【図４】
0003841568.tif 000005
【図５】
0003841568.tif 000006